(57)【特許請求の範囲】
【請求項１】
複数の条件に対応する最適ｎ次元解ベクトル候補に基づいて１つの最適ｎ次元解ベクトルを決定する問題に対して、前記複数の最適ｎ次元解ベクトル候補の位置を２次元空間上に図示する第１ステップと、前記２次元空間上の任意の座標を選択する第２ステップと、前記複数のｎ次元解ベクトル候補の２次元空間上の座標に基づいて選択した任意の座標に相当するｎ次元解ベクトルを算出する第３ステップにより、複数の最適ｎ次元解ベクトル候補に基づいて最適な一つのｎ次元解ベクトルを決定し、前記ｎ次元解ベクトル候補及び／又は前記最適な一つのｎ次元解ベクトルを補聴器の調整パラメータ値に変換して補聴器の補聴パラメータ記憶部に書き込むパラメータ書き込み手段と、音源を格納する音源記憶手段と、音源を補聴器に提示するための音源提示手段を備えることを特徴とする補聴器フィッティング装置。
【請求項２】
複数の条件に対応する最適ｎ次元解ベクトル候補に基づいて１つの最適ｎ次元解ベクトルを決定する問題に対して、前記複数の最適ｎ次元解ベクトル候補の位置を２次元空間上に図示する第１ステップと、前記２次元空間上の任意の座標を選択する第２ステップと、前記複数のｎ次元解ベクトル候補の２次元空間上の座標に基づいて選択した任意の座標に相当するｎ次元解ベクトルを算出する第３ステップにより、複数の最適ｎ次元解ベクトル候補に基づいて最適な一つのｎ次元解ベクトルを決定し、前記ｎ次元解ベクトル候補及び／又は前記最適な一つのｎ次元解ベクトルを補聴器の調整パラメータ値に変換して補聴器の補聴パラメータ記憶部に書き込むパラメータ書き込み手段と、音源を格納する音源記憶手段と、音源を補聴器に提示するための音源提示手段と、前記補聴器の調整パラメータ値及び／又は前記ｎ次元解ベクトルの表す音響的情報に基づく視覚的図形を表示する表示手段を備えることを特徴とする補聴器フィッティング装置。
【請求項３】
前記複数の最適ｎ次元解ベクトル候補を、対話型遺伝的アルゴリズムによって求める請求項１又は２記載の補聴器フィッティング装置。
【請求項４】
前記複数の最適ｎ次元解ベクトル候補を、複数の音源に対する最適ｎ次元解ベクトルとする請求項１、２又は３記載の補聴器フィッティング装置。
【請求項５】
前記視覚的図形が、前記音響的情報の周波数特性である請求項２、３又は４に記載の補聴器フィッティング装置。
【請求項６】
前記視覚的図形が、前記音響的情報の入出力特性である請求項２、３又は４に記載の補聴器フィッティング装置。
【請求項７】
前記視覚的図形が、前記音響的情報の時間波形である請求項２、３又は４に記載の補聴器フィッティング装置。
【請求項８】
前記視覚的図形が、前記音響的情報のサウンドスペクトログラムである請求項２、３又は４に記載の補聴器フィッティング装置。
【請求項９】
ユーザが選択した任意の座標に相当するｎ次元解ベクトルを補聴器の調整パラメータ値に変換して補聴器の補聴パラメータ記憶部に書き込み、前記複数の音源を順次ユーザに提示する請求項１乃至請求項８のいずれかに記載の補聴器フィッティング装置。
【発明の詳細な説明】
【０００１】
【発明の属する技術分野】
本発明は、評価基準が主観的であって不明確であるために定量的な評価基準に基づいて調整を行うことができない補聴器フィッティングについて、複数の条件における最適値と個人の主観的な評価に基づいて最適な調整結果を得るための補聴器フィッティング装置に関する。
【０００２】
【従来の技術】
個人の嗜好に合わせた音響特性や画像特性などの調整を行う場合、その特性の評価基準は極めて主観的であって不明確なものとなる。各特性に対する嗜好の傾向はユーザ毎に大きく異なる場合が多いため、調整結果を定量的に評価、表現することができないという問題がある。
加えて、通常の場合、対象とする音響特性や画像特性などを調整するためのパラメータは複数個存在し、これらのパラメータ値の相互作用がユーザの主観的な評価に大きな影響を及ぼすため、最適な調整結果の決定は更に困難なものとなる。
【０００３】
このような問題を解決するために、例えば特開平９−５４７６５号公報には、対話型遺伝的アルゴリズムを用いた最適化調整方法が提案されている。この方法では、ｎ個の調整パラメータを要素とするｎ次元ベクトルを解ベクトル（染色体）とし、各解ベクトルに応じて処理された音響信号もしくは画像信号をユーザに提示した上で、各解ベクトルに対するユーザの評価値を基に遺伝的アルゴリズムを実施し、最適解ベクトルを推定するものである。
このような方法によれば、ユーザ自身が主観的に最も聞きやすいと感じるような特性を、各調整値の最適値を個別に算出するのではなく、各調整値間の相互作用も加味した上で算出することができる。
【０００４】
本発明で対象としている補聴器のフィッティングにおいて、難聴者の聴覚特性は個人毎に様々である上に、音に対する嗜好も個人個人で異なる。補聴器の多くは、このような様々な難聴者各々にフィットできるように、複数の調整機能（例えば、音量調整、周波数特性調整、出力制限調整、自動利得制御調整など）を有している。
【０００５】
補聴器フィッティングとは、これら各調整機能の調整度合（調整値）を個々の難聴者にとって最適な値に設定する作業であり、通常はオージオグラム等の値を既知のフィッティング用の処方式に代入することにより行われる。特開平９−５４７６５号公報には、各調整機能の調整値を利用して前記ｎ次元解ベクトルを構成し、対話型遺伝的アルゴリズムを用いて補聴器のフィッティングを行う方法が提案されている。
【０００６】
【発明が解決しようとする課題】
しかしながら、前記対話型遺伝的アルゴリズムでは、ある問題に対する単一の条件に対して単一の最適値を決定するため、その条件、つまり調整に用いた条件に特化した最適値が決定されてしまうという問題がある。このため、複数の条件が存在しうる問題においては、各条件に対して各々対話型遺伝的アルゴリズムを実施し、各条件に特化した最適値を決定した上で、最終的な単一の最適値を別途決定せねばならず、この最終最適値は、調整者の主観的評価もしくは個々のユーザの嗜好に無関係に定められた計算式等によって決定されていた。
【０００７】
例えば、前記補聴器フィッティングの場合では、前記対話型遺伝的アルゴリズムを実施するために何らかの単一の音源（例えば音声信号）を用いると、その音源に特化した最適値が決定されてしまうという問題がある。
【０００８】
補聴器は様々な環境下で使用される機器であり、どのような環境下においても難聴者に快適な聴取状態を提供する必要があるので、単一の音源ではなく複数の条件（例えば、複数の環境音）に対して前記対話型遺伝的アルゴリズムを実施し、各条件に対する最適値を各々決定した上で最終最適値を決定する必要がある。
しかし、この最終最適値は、調整者の主観的評価もしくは個々のユーザの嗜好に無関係に定められた計算式等によって決定せざるを得ないという問題がある。
【０００９】
本発明は、従来の技術が有するこのような問題点に鑑みてなされたものであり、その目的とするところは、複数の条件に対応する最適値から、ユーザの嗜好が反映された補聴器の各調整機能の調整値を、短時間で効率的に決定するための補聴器フィッティング装置を提案しようとするものである。
【００１０】
【課題を解決するための手段】
上記課題を解決すべく請求項１に係る発明は、複数の条件に対応する最適ｎ次元解ベクトル候補に基づいて１つの最適ｎ次元解ベクトルを決定する問題に対して、前記複数の最適ｎ次元解ベクトル候補の位置を２次元空間上に図示する第１ステップと、前記２次元空間上の任意の座標を選択する第２ステップと、前記複数のｎ次元解ベクトル候補の２次元空間上の座標に基づいて選択した任意の座標に相当するｎ次元解ベクトルを算出する第３ステップにより、複数の最適ｎ次元解ベクトル候補に基づいて最適な一つのｎ次元解ベクトルを決定し、前記ｎ次元解ベクトル候補及び／又は前記最適な一つのｎ次元解ベクトルを補聴器の調整パラメータ値に変換して補聴器の補聴パラメータ記憶部に書き込むパラメータ書き込み手段と、音源を格納する音源記憶手段と、音源を補聴器に提示するための音源提示手段を備えるものである。
【００１１】
請求項２に係る発明は、複数の条件に対応する最適ｎ次元解ベクトル候補に基づいて１つの最適ｎ次元解ベクトルを決定する問題に対して、前記複数の最適ｎ次元解ベクトル候補の位置を２次元空間上に図示する第１ステップと、前記２次元空間上の任意の座標を選択する第２ステップと、前記複数のｎ次元解ベクトル候補の２次元空間上の座標に基づいて選択した任意の座標に相当するｎ次元解ベクトルを算出する第３ステップにより、複数の最適ｎ次元解ベクトル候補に基づいて最適な一つのｎ次元解ベクトルを決定し、前記ｎ次元解ベクトル候補及び／又は前記最適な一つのｎ次元解ベクトルを補聴器の調整パラメータ値に変換して補聴器の補聴パラメータ記憶部に書き込むパラメータ書き込み手段と、音源を格納する音源記憶手段と、音源を補聴器に提示するための音源提示手段と、前記補聴器の調整パラメータ値及び／又は前記ｎ次元解ベクトルの表す音響的情報に基づく視覚的図形を表示する表示手段を備えるものである。
【００１２】
請求項３に係る発明は、請求項１又は２記載の補聴器フィッティング装置において、前記複数の最適ｎ次元解ベクトル候補を、対話型遺伝的アルゴリズムによって求めるものである。
【００１４】
請求項４に係る発明は、請求項１、２又は３記載の補聴器フィッティング装置において、前記複数の最適ｎ次元解ベクトル候補を、複数の音源に対する最適ｎ次元解ベクトルとするものである。
【００１７】
請求項５に係る発明は、請求項２、３又は４に記載の補聴器フィッティング装置において、前記視覚的図形を、前記音響的な情報の周波数特性としたものである。
【００１８】
請求項６に係る発明は、請求項２、３又は４に記載の補聴器フィッティング装置において、前記視覚的図形を、前記音響的な情報の入出力特性としたものである。
【００１９】
請求項７に係る発明は、請求項２、３又は４に記載の補聴器フィッティング装置において、前記視覚的図形を、前記音響的な情報の時間波形としたものである。
【００２０】
請求項８に係る発明は、請求項２、３又は４に記載の補聴器フィッティング装置において、前記視覚的図形を、前記音響的な情報のサウンドスペクトログラムとしたものである。
【００２１】
請求項９に係る発明は、請求項１乃至請求項８のいずれかに記載の補聴器フィッティング装置において、ユーザが選択した任意の座標に相当するｎ次元解ベクトルを補聴器の調整パラメータ値に変換して補聴器の補聴パラメータ記憶部に書き込み、前記複数の音源を順次ユーザに提示するものである。
【００２２】
【発明の実施の形態】
以下に本発明の実施の形態を添付図面に基づいて説明する。ここで、図１は本発明に係る補聴器フィッティング装置の構成図、図２は３つの環境音に対する最適値を予め獲得するためのフローチャート、図３は図２に示す方法により得られた結果に基づいて単一の最終最適フィッティング値を決定するためのフローチャート、図４は図３に示す方法で使用する２次元空間の一例を示す図、図５は図２に示す方法により得られた結果に基づいて単一の最終最適フィッティング値を決定するための別のフローチャート、図６は図５に示す方法で使用する２次元空間の一例を示す図である。
【００２３】
本発明に係る補聴器フィッティング装置は、図１に示すように、音源処理部１と、パラメータ作成部２、２次元空間表示部３からなる。なお、４はいわゆるプログラマブル補聴器、６は補聴処理された音声や環境音などをプログラマブル補聴器４に提示するスピーカである。
【００２４】
音源処理部１は、音源記憶部１ａ、音源信号変換部１ｂ、音源信号選択部１ｃ、音源提示部１ｄから、パラメータ作成部２は、座標獲得部２ａ、解ベクトル算出部２ｂ、パラメータ書き込み部２ｃから、２次元空間表示部３は、最適解ベクトル獲得部３ａ、２次元座標算出部３ｂ、表示部３ｃから構成される。
【００２５】
プログラマブル補聴器４は、マイクロフォン４ａ、増幅器４ｂ、補聴処理部４ｃ、イヤホン４ｄ、パラメータ記憶部５から構成される。ここで、パラメータ書き込み部２ｃは、プログラマブル補聴器４のパラメータ記憶部５に接続されている。
【００２６】
音源記憶部１ａは、フィッティングに用いる環境音をデジタルで記録した複数の環境音ファイルと１つの校正音ファイルを記憶している。ここで、環境音及び校正音ファイルは、例えばＷＡＶＥファイル形式のようなデジタルデータで構成される。
【００２７】
音源信号変換部１ｂは、音源信号選択部１ｃからの制御信号に基づいて、音源記憶部１ａに記憶されている環境音ファイルを呼び出す機能を有すると共に、環境音ファイルに記憶されているデジタルデータをアナログ環境音信号に変換する機能を有する。
【００２８】
音源提示部１ｄは、音源信号変換部１ｂから出力された音源信号（アナログ環境音信号）を所定のレベルに増幅または減衰した後に、スピーカ６等を用いてプログラマブル補聴器４に向けて提示する。
【００２９】
座標獲得部２ａは、ユーザが選択した、表示部３ｃで表示された２次元空間内の任意の２次元座標を獲得する。解ベクトル算出部２ｂは、座標獲得部２ａが獲得した２次元座標から、補聴器の各調整機能の調整値から構成されるｎ次元解ベクトルを算出する。
【００３０】
パラメータ書き込み部２ｃは、解ベクトル算出部２ｂで算出された解ベクトルを、プログラマブル補聴器４の調整機能のパラメータとしてプログラマブル補聴器４のパラメータ記憶部５に書き込む機能を有する。
【００３１】
最適解ベクトル獲得部３ａは、予め定められた、各環境音に対するユーザの最適フィッティング値すなわち最適解ベクトルを獲得する。
【００３２】
２次元座標算出部３ｂは、最適解ベクトル獲得部３ａが獲得した解ベクトルから、ユーザに図示する２次元空間の座標を算出する。
【００３３】
表示部３ｃは、２次元座標算出部３ｂが算出した２次元空間の座標に基づいてユーザに２次元空間を図示すると共に、２次元座標算出部３ｂが算出した２次元空間の座標に基づくプログラマブル補聴器４の調整パラメータ値（例えば、音響利得：ＧＡＩＮ、出力制限：ＭＯＰや入出力特性の折点：ＴＫなど）及び音響的情報（周波数特性図、入出力特性図、時間波形図、サウンドスペクトログラム）を表示することができる。
【００３４】
そして、音源処理部１を構成する音源記憶部１ａと音源信号変換部１ｂと音源信号選択部１ｃ、パラメータ作成部２を構成する座標獲得部２ａと解ベクトル算出部２ｂ、２次元空間表示部３を構成する最適解ベクトル獲得部３ａと２次元座標算出部３ｂと表示部３ｃは、パーソナルコンピュータで構成することができる。
【００３５】
即ち、パーソナルコンピュータの内臓ハードディスク及びまたはメモリが、音源記憶部１ａの機能を担い、ＣＰＵと所定のプログラムが、音源信号変換部１ｂ、音源信号選択部１ｃ、解ベクトル算出部２ｂ、２次元座標算出部３ｂの機能を担い、キーボード及びまたはマウスが座標獲得部２ａ、最適解ベクトル獲得部３ａの機能を担い、ディスプレイが表示部３ｃの機能を担うことになる。
【００３６】
以上のように構成した本発明に係る補聴器フィッティング装置の作用について、図２と図３に示すフローチャートにより説明する。
図２において、先ず、ステップＳＰ１では、フィッティングに先立ち、音源提示の際の提示音圧レベル校正のために、音源信号選択部１ｃを操作して、音源記憶部１ａより校正音ファイルを呼び出し、音源提示部１ｄより提示する。
ステップＳＰ２において、騒音計等を用い提示音圧レベル校正を音源提示部１ｄの増幅度や減衰量を操作して行う。
【００３７】
次いで、ステップＳＰ３において、難聴者のオージオグラムを測定し、ステップＳＰ４において、測定したオージオグラムを用いて、既知の補聴器フィッティング処方式により、仮のフィッティング値を算出する。
【００３８】
ステップＳＰ５、ステップＳＰ６において初期設定（ｉ＝１，ｋ＝１）をした後、ステップＳＰ７において、環境音ファイルを呼び出す。ここで使用する環境音ファイルは、例えば、事前に被験者から“最も頻繁に補聴器を使用する環境”を聴取しておき、その環境に最も近いと思われるものが使用される。
本発明の実施の形態では、環境音を家庭内騒音Ｓ１、事務所騒音Ｓ２、工場内騒音Ｓ３の３種類としている。
【００３９】
次いで、ステップＳＰ８において、プログラマブル補聴器４の各調整機能の調整値から構成されるフィッティング値を解ベクトル化する。ここで、解ベクトル集合をｐｉｋ（ｉ＝１，２，３……，ｍ、ｋ＝１，２，３……，ｎ）とし、本発明の実施の形態では、ｍ＝３、ｎ＝２０としている。
【００４０】
次いで、ステップＳＰ９において、パラメータ書き込み部２ｃにて指定された解ベクトルｐｉｋをプログラマブル補聴器４のパラメータに変換し、ステップＳＰ１０において、そのパラメータをプログラマブル補聴器４のパラメータ記憶部５に書き込む。
【００４１】
次いで、ステップＳＰ１１において、音源信号変換部１ｂ及び音源提示部１ｄで、先ほど呼び出した環境音ファイルを再生し、スピーカ６よりプログラマブル補聴器４に提示する。被験者はプログラマブル補聴器４の出力音（つまり、解ベクトルｐｉｋに応じて補聴処理された環境音）を聴取する。
【００４２】
ステップＳＰ１２において、提示した音、つまり、その時の解ベクトルｐｉｋに対する被験者の評価値Ｅｉｋを得る。評価値Ｅｉｋは、提示音に対する快適性、明瞭性などに基づく、被験者の主観的な評価を表す数値であり、ここでは１〜５の５段階とし、１が最も評価が低く、５が最も評価が高いものとしている。
【００４３】
ステップＳＰ１３において、Ｅｉ２０までの全ての評価値が獲得されたか否かを判断し、獲得されていなければステップＳＰ１４へ進み、上記操作を繰り返す。ここで、ステップＳＰ１４では、現在のフィッティング値に対する被験者の主観的評価を聴取し、その内容と評価値Ｅｉｋの値を併せて考慮してフィッティング値の調整、変更を行う。
【００４４】
この調整、変更は、例えば、“うるさい”という評価ならば、音量調整や出力制限の値を低減するといった内容のものである。
一方、Ｅｉ２０までの全ての評価値が獲得された場合には、ステップＳＰ１６において、これまでに最も高い評価値を得たｐｉｋをその環境音に対する最適フィッティング値Ｆｉとする。
【００４５】
次いで、ステップＳＰ１７において、上記操作が工場内騒音Ｓ３まで行われたか否か判断し、工場内騒音Ｓ３まで行われていればフィッティング作業を終了し、行われていなければステップＳＰ１８へ進み上記操作を工場内騒音Ｓ３についてフィッティング作業が終了するまで繰り返す。
【００４６】
次に、図２に示すフローチャートによって求めた、３種の音源Ｓ１，Ｓ２，Ｓ３に対する最適フィッティング値Ｆ１，Ｆ２，Ｆ３を用いて、最終フィッティング値を決定する方法を図３のフローチャートに示す。
【００４７】
先ず、ステップＳＰ２１にて、表示部３ｃのスクリーン上に任意の正三角形を図示し、ステップＳＰ２２において、２次元座標算出部３ｂによりこの三角形の三頂点の２次元座標ｘ１，ｘ２，ｘ３を算出する。この時の正三角形の大きさはユーザが操作しやすい大きさとする。
【００４８】
次いで、ステップＳＰ２３で、２次元座標算出部３ｂにより正三角形の重心の２次元座標ｘｃを算出し、ステップＳＰ２４で、２次元座標算出部３ｂにより三頂点の２次元座標ｘ１，ｘ２，ｘ３と重心の２次元座標ｘｃについての各々の中点の２次元座標ｘ１２，ｘ１３，ｘ１ｃ，ｘ２３，ｘ２ｃ，ｘ３ｃを算出する。
【００４９】
そして、ステップＳＰ２５で、表示部３ｃにより、三頂点の２次元座標ｘ１，ｘ２，ｘ３、重心の２次元座標ｘｃ、中点の座標ｘ１２，ｘ１３，ｘ１ｃ，ｘ２３，ｘ２ｃ，ｘ３ｃの位置をスクリーン上に図示する。
図４にスクリーン上に図示された２次元空間の一例を示す。
【００５０】
次いで、ステップＳＰ２６で、ユーザが図４に示された２次元空間上において、三頂点の位置を参考にして任意の２次元空間上の位置を指示する。
すると、座標獲得部２ａは指示された位置の２次元空間上の座標ｘａを獲得する。例えば、職場が事務所で、補聴器は主に職場と帰宅後の家庭内で使用するというユーザは、図４に示すＡ点のような位置を指示する。
【００５１】
次いで、ステップＳＰ２７で、ｘａに相当する解ベクトルｐａを解ベクトル算出部２ｂにて算出する。ここで、解ベクトルｐａは、例えば、ｘａ＝ｘｃならば、解ベクトル（３種の音源Ｓ１，Ｓ２，Ｓ３に対する最適フィッティング値）Ｆ１，Ｆ２，Ｆ３の各要素の平均値を要素とする平均解ベクトルＦｃとし、ｘａ＝ｘ３ｃならば、Ｆ３とＦｃの各要素の平均値を要素とする平均解ベクトルＦ３ｃとする。
【００５２】
次いで、ステップＳＰ２８において、解ベクトルｐａをパラメータ書き込み部２ｃによりプログラマブル補聴器４のパラメータに変換し、更にステップＳＰ２９において、そのパラメータをプログラマブル補聴器４のパラメータ記憶部５に書き込む。
【００５３】
次いで、ステップＳＰ３０〜ステップＳＰ３２において、音源信号変換部１ｂ及び音源提示部１ｄで、解ベクトルＦ１に対応する環境音（家庭内騒音Ｓ１）のファイルを再生し、スピーカ６よりプログラマブル補聴器４に提示する。被験者は、プログラマブル補聴器４の出力音（つまり、解ベクトルｐａに応じて補聴処理された家庭内騒音Ｓ１）を聴取する。
【００５４】
被験者がプログラマブル補聴器４の出力音を、ステップＳＰ３１〜ステップＳＰ３４で、３種の環境音Ｓ１，Ｓ２，Ｓ３全てについて聴取し終えた後に、ステップＳＰ３５において、被験者が現在のフィッティング値ｐａに満足するならば、フィッティングを終了し、満足しないならば、ステップＳＰ２６に戻って上記操作を繰り返し実行する。
【００５５】
この際の任意の座標ｘａは、例えば、ユーザが現在のｐａでは、家庭内騒音下、事務所内騒音下ともに聞きやすいが、工場内騒音下でももう少し快適に聴取できるようにしたいと感じるのであればＢ点のような場所になる。
【００５６】
次に、図２に示すフローチャートによって求めた、３種の音源Ｓ１，Ｓ２，Ｓ３に対する最適フィッティング値Ｆ１，Ｆ２，Ｆ３を用いて、最終フィッティング値を決定する別の方法を、図５に示すフローチャートにより説明する。
【００５７】
先ず、ステップＳＰ４１〜ステップＳＰ４８の内容は、図３に示すフローチャートのステップＳＰ２１〜ステップＳＰ２８の内容と同様なので説明を省略する。
【００５８】
次いで、ステップＳＰ４９では、図６に示すように、２次元空間上の座標ｘａに対応したプログラマブル補聴器４の調整パラメータ（例えば、音響利得：ＧＡＩＮ＝５、出力制限：ＭＯＰ＝３や入出力特性の折点：ＴＫ＝２などの値）及び音響特性図（例えば、入出力音圧レベル毎の周波数特性図）を表示部３ｃのスクリーン上に表示する。
【００５９】
このように表示部３ｃのスクリーン上に、２次元空間上の座標ｘａに対応したプログラマブル補聴器４の調整パラメータ値及び音響特性図を表示することにより、被験者にとっても、パラメータの調整作業者にとっても補聴器の調整具合を視覚的に把握できるので、最適な補聴器の調整パラメータ値を効率的かつ正確に設定することができる。
【００６０】
なお、図６では、表示部３ｃのスクリーン上に表示する視覚的図形を、ｘａに相当する解ベクトルｐａによって生ずる周波数特性としているが、この場合の図形は解ベクトルｐａの表す音響的情報に基づく図形であれば周波数特性でなくとも良い。例えば、音の入出力特性を変更できるタイプの補聴器（いわゆるＡＧＣ補聴器もしくはノンリニア補聴器）であるならば、その入出力特性を視覚的図形としても良い。
【００６１】
また、表示部３ｃのスクリーン上に表示する図形を、特定の音信号が補聴器に入力された場合の、その補聴器の出力音の時間波形としても良い。この場合の入力音は、遺伝的アルゴリズムで用いた音源を用いても良いし、他の音信号を用いても良い。
【００６２】
また、表示部３ｃのスクリーン上に表示する図形を、特定の音信号が補聴器に入力された場合の、その補聴器の出力音のサウンドスペクトログラムとしても良い。この場合の入力音は、遺伝的アルゴリズムで用いた音源を用いても良いし、他の音信号を用いても良い。
【００６３】
更に、ステップＳＰ５０〜ステップＳＰ５６の内容は、図３に示すフローチャートのステップＳＰ２９〜ステップＳＰ３５の内容と同様なので説明を省略する。
【００６４】
なお、本発明の実施の形態では、３種類の環境音Ｓ１，Ｓ２，Ｓ３を用いてフィッティングを実施しているが、２もしくは４種類以上の環境音で実施しても良い。
【００６５】
また、本発明の実施の形態では、２次元空間上に図示する図形を常に正三角形としているが、例えば、各多次元ベクトルである解ベクトルＦ１，Ｆ２，Ｆ３間のユークリッド距離の比率に従って三角形の形状を決定しても良いし、ＭＤＳ（Ｍｕｌｔｉｄｉｍｅｎｓｉｏｎａｌ  Ｓｃａｌｉｎｇ）法や自己組織化写像技術などを用いて解ベクトルＦ１，Ｆ２，Ｆ３を２次元空間に写像することによって三角形の形状を決定し、図示しても良い。
【００６６】
また、本発明の実施の形態では、図示する座標を１０点に限定しているが、例えば、図示する点数を定めずに、２次元空間上の全ての座標について同様の処理を行っても良い。
【００６７】
また、本発明の実施の形態では、ユーザが指示した任意の座標に相当する解ベクトルを、既知の解ベクトルＦ１，Ｆ２，Ｆ３に基づき、各要素の平均値を要素とする平均解ベクトルを算出することにより決定しているが、各解ベクトル間のユークリッド距離や、図２に示すフローチャートにより求めた複数の解ベクトルに対する評価値Ｅｉｋの値等に基づいて決定しても良い。
【００６８】
なお、以上の発明の実施の形態では、各種音源に対する最適フィッティング値および各種のフィッティング値に対する評価値獲得を図２に示すフローチャートにより行う方法について説明した。
しかし、これらの値の獲得は対話型遺伝的アルゴリズムを用いて行っても良い。
【００６９】
対話型遺伝的アルゴリズムでは、音源に特化した最適値が求まり、加えて、最適値決定の過程で各種の解ベクトルに対する評価値を得るので、これらの値を記録しておけば、そのまま本方法に利用することも可能である。
【００７０】
つまり、音源を家庭内騒音Ｓ１、事務所騒音Ｓ２、工場内騒音Ｓ３とする対話型遺伝的アルゴリズムをそれぞれ実施し、各音源に対する最適解ベクトルＦ１，Ｆ２，Ｆ３を求めると同時に、対話型遺伝的アルゴリズムの進化の過程で得られた複数の解ベクトルをｐｉｋとし、これらに対する評価値をＥｉｋとして本発明を実施するのである。
【００７２】
【発明の効果】
以上説明したように請求項１に係る発明によれば、評価基準が主観的であって不明確な補聴器フィッティングに対して、特定の条件に特化した最適値ではなく、個々の難聴ユーザの音に対する嗜好を反映し、様々な音環境に適した補聴器フィッティングを行うことができる。
【００７３】
請求項２に係る発明によれば、評価基準が主観的であって不明確な補聴器フィッティングに対して、個々の難聴ユーザの音に対する嗜好を反映し、様々な音環境に適した補聴器フィッティングを、表示手段により表示される補聴器の調整パラメータ値及び／又は音響的情報に基づく視覚的図形を参照しながら行うことができる。
【００７４】
請求項３に係る発明によれば、複数の条件に対する最適値と複数の解ベクトルに対する評価値を効率的かつ正確に獲得することができるため、複数の条件を鑑みた単一の最適値をより効率的かつ正確に求めることができ、個々の難聴ユーザの音に対する嗜好を反映し、様々な音環境に適した補聴器フィッティングを行うことができる。
【００７６】
請求項４に係る発明によれば、提示する音源を複数の環境音とすることにより、特定の音環境に特化したフィッティングでなく、様々な音環境に適したフィッティングを行うことができる。
【００７９】
請求項５に係る発明によれば、視覚的図形として音響的情報の周波数特性を付与するため、ユーザが過去の解ベクトルに自ら与えた評価値を容易に記憶することができるので、評価のゆらぎを最小限にとどめて、最適解を効率的かつ正確に求めることができる。
【００８０】
請求項６に係る発明によれば、視覚的図形として音響的情報の入出力特性を付与するため、ユーザが過去の解ベクトルに自ら与えた評価値を容易に記憶することができるので、評価のゆらぎを最小限にとどめて、最適解を効率的かつ正確に求めることができる。
【００８１】
請求項７に係る発明によれば、視覚的図形として音響的情報の時間波形を付与するため、ユーザが過去の解ベクトルに自ら与えた評価値を容易に記憶することができるので、評価のゆらぎを最小限にとどめて、最適解を効率的かつ正確に求めることができる。
【００８２】
請求項８に係る発明によれば、視覚的図形として音響的情報のサウンドスペクトログラムを付与するため、ユーザが過去の解ベクトルに自ら与えた評価値を容易に記憶することができるので、評価のゆらぎを最小限にとどめて、最適解を効率的かつ正確に求めることができる。
【００８３】
請求項９に係る発明によれば、個々の難聴ユーザが自ら選択したフィッティング値の補聴効果を、様々な音環境で確認しながら最適なフィッティング値を決定していくことができる。
【図面の簡単な説明】
【図１】本発明に係る補聴器フィッティング装置の構成図
【図２】３つの環境音に対する最適値を予め獲得するためのフローチャート
【図３】図２に示す方法により得られた結果に基づいて単一の最終最適フィッティング値を決定するためのフローチャート
【図４】図３に示す方法で使用する２次元空間の一例を示す図
【図５】図２に示す方法により得られた結果に基づいて単一の最終最適フィッティング値を決定するための別のフローチャート
【図６】図５に示す方法で使用する２次元空間の一例を示す図
【符号の説明】
１…音源処理部、１ａ…音源記憶部、１ｂ…音源信号変換部、１ｃ…音源信号選択部、１ｄ…音源提示部、２…パラメータ作成部、２ａ…座標獲得部、２ｂ…解ベクトル算出部、２ｃ…パラメータ書き込み部、３…２次元空間表示部、３ａ…最適解ベクトル獲得部、３ｂ…２次元座標算出部、３ｃ…表示部、４…プログラマブル補聴器、５…パラメータ記憶部、６…スピーカ。
【図１】
0003629183.tif 000002
【図２】
0003629183.tif 000003
【図３】
0003629183.tif 000004
【図４】
0003629183.tif 000005
【図５】
0003629183.tif 000006
【図６】
0003629183.tif 000007